(57)【要約】【課題】撮像情報の記憶容量を適正に抑制しつつ、煽り運転を受けたときには撮像情報量を増やすことができる撮像情報記憶装置、撮像情報記憶方法及びプログラムを提供する。【解決手段】撮像情報記憶装置１は、撮像情報生成部３１と、第２記憶部８とを備える。撮像情報生成部３１は自車両の周辺が撮像された撮像情報を所定フレームレートにおいて生成する。第２記憶部８は、撮像情報生成部３１により生成された撮像情報を記憶する。撮像情報記憶装置１は、運転状況検知部４と、フレームレート制御部３３とを更に備える。運転状況検知部４は、自車両の周辺を走行する他車両の煽り運転を検知する。そして、フレームレート制御部３３は、運転状況検知部４により煽り運転が検知されたときに、所定フレームレートに比し高い高フレームレートにおいて撮像情報を生成する。【選択図】図１
2020109572.tif 000002
【特許請求の範囲】
【請求項１】
自車両の周辺が撮像された撮像情報を所定フレームレートにおいて生成する撮像情報生成部と、
当該撮像情報生成部により生成された前記撮像情報を記憶する記憶部と、
前記自車両の周辺を走行する他車両の煽り運転を検知する運転状況検知部と、
当該運転状況検知部により煽り運転が検知されたときに、前記所定フレームレートに比し高い高フレームレートにおいて前記撮像情報を生成するフレームレート制御部と、
を備えている撮像情報記憶装置。
【請求項２】
前記撮像情報生成部は、それぞれ撮像された複数種類の撮像情報を前記所定フレームレートにおいて生成し、
前記記憶部は、前記撮像情報生成部により生成された複数種類の前記撮像情報を記憶し、
前記フレームレート制御部は、煽り運転が検知されたときに前記高フレームレートにおいて複数種類の前記撮像情報を生成する
請求項１に記載の撮像情報記憶装置。
【請求項３】
前記運転状況検知部は、
前記自車両の速度に応じた前記自車両と前記他車両との車間距離が許容範囲を超え、かつ、この状況が許容時間を超えたときに、前記他車両の煽り運転を検知する
請求項１又は請求項２に記載の撮像情報記憶装置。
【請求項４】
前記運転状況検知部は、
前記自車両の速度計測部から前記速度を取得し、かつ、前記自車両の車間距離計測部から前記車間距離を取得して前記煽り運転を検知する
請求項３に記載の撮像情報記憶装置。
【請求項５】
前記撮像情報に基づく画像解析により前記自車両と前記他車両との車間距離を解析する撮像情報解析部を更に備え、
前記運転状況検知部は、
前記撮像情報解析部の解析結果に基づいて、前記自車両の速度に応じた前記自車両と前記他車両との車間距離が許容範囲を超え、かつ、許容時間を超えたときに、前記他車両の煽り運転を検知する
請求項１又は請求項２に記載の撮像情報記憶装置。
【請求項６】
前記撮像情報生成部は、前記自車両の前方の撮像情報及び前記自車両の後方の撮像情報を前記所定フレームレートにおいて生成し、
前記フレームレート制御部は、前記運転状況検知部により、前記自車両の前方において煽り運転が検知されたときに、この検知された方向の撮像画像を高フレームレートにおいて生成し、又前記自車両の後方において煽り運転が検知されたときに、この検知された方向の撮像画像を高フレームレートにおいて生成する
請求項２に記載の撮像情報記憶装置。
【請求項７】
自車両の周辺が撮像された撮像情報を所定フレームレートにおいて生成する撮像情報生成部と、
当該撮像情報生成部により生成された前記撮像情報を前記所定フレームレートに比し低い低フレームレートに変換する撮像情報処理部と、
当該撮像情報処理部により変換された前記撮像情報を記憶する記憶部と、
前記自車両の周辺を走行する他車両の煽り運転を検知する運転状況検知部と、
当該運転状況検知部により煽り運転が検知されたときに、前記撮像情報処理部において前記所定フレームレートにより前記撮像情報を生成し、当該撮像情報を前記記憶部に記録させるフレームレート制御部と、
を備えている撮像情報記憶装置。
【請求項８】
自車両の周辺が撮像された撮像情報を所定フレームレートにおいて生成する工程と、
前記撮像情報を記憶する工程と、
前記自車両の周辺を走行する他車両の煽り運転を検知する工程と、
当該煽り運転が検知されたときに、前記所定フレームレートに比し高い高フレームレートにおいて前記撮像情報を生成する工程と、
を備えている撮像情報記憶方法。
【請求項９】
撮像情報生成部、記憶部、運転状況検知部及びフレームレート制御部を備えた撮像情報記憶装置における撮像情報記憶方法をコンピュータに実行させるためのプログラムであって、
前記撮像情報生成部が、自車両の周辺が撮像された撮像情報を所定フレームレートにおいて生成する工程と、
前記記憶部が、前記撮像情報を記憶する工程と、
前記運転状況検知部が、前記自車両の周辺を走行する他車両の煽り運転を検知する工程と、
前記フレームレート制御部が、前記煽り運転が検知されたときに、前記所定フレームレートに比し高い高フレームレートにおいて前記撮像情報を生成する工程と、
を備えているプログラム。
【発明の詳細な説明】
【技術分野】
【０００１】
本発明は、撮像情報記憶装置、撮像情報記憶方法及びプログラムに関する。
【背景技術】
【０００２】
下記特許文献１には、運転支援装置が開示されている。この運転支援装置では、自車両のカメラにより撮影された他車両の画像に基づいて、煽り運転か否か、煽り運転が継続されているか否かが判定される。そして、運転支援装置は、煽り運転であると判定し、又煽り運転を継続していると判定したとき、他車両に関する情報を自車両の運転者に対して提供する。自車両の運転者では、他車両に関する情報が提供されるので、自己防衛が可能となる。
【先行技術文献】
【特許文献】
【０００３】
【特許文献１】特開２０１８−１１２８９２号公報
【発明の概要】
【発明が解決しようとする課題】
【０００４】
ところで、上記運転支援装置では、常時、運転状況が録画されているので、録画データの記憶容量に制約され、低いフレームレートにより運転状況が録画されている。このため、他車両の煽り運転が発生したときには、録画データのフレームレート間隔が粗くなり、煽り運転の詳細な状況を録画することができないので、改善の余地があった。これは、発明が解決しようとする課題の一例として挙げられる。
【０００５】
本発明は、上記課題に鑑みてなされたものであり、撮像情報の記憶容量を適正に抑制しつつ、煽り運転を受けたときには撮像情報量を増やすことができる撮像情報記憶装置、撮像情報記憶方法及びプログラムを提供する。
【課題を解決するための手段】
【０００６】
請求項１に記載の発明は、撮像情報記憶装置において、自車両の周辺が撮像された撮像情報を所定フレームレートにおいて生成する撮像情報生成部と、撮像情報生成部により生成された撮像情報を記憶する記憶部と、自車両の周辺を走行する他車両の煽り運転を検知する運転状況検知部と、運転状況検知部により煽り運転が検知されたときに、所定フレームレートに比し高い高フレームレートにおいて撮像情報を生成するフレームレート制御部と、を備えている。
【０００７】
請求項７に記載の発明は、撮像情報記憶装置において、自車両の周辺が撮像された撮像情報を所定フレームレートにおいて生成する撮像情報生成部と、撮像情報生成部により生成された撮像情報を所定フレームレートに比し低い低フレームレートに変換する撮像情報処理部と、撮像情報処理部により変換された撮像情報を記憶する記憶部と、自車両の周辺を走行する他車両の煽り運転を検知する運転状況検知部と、運転状況検知部により煽り運転が検知されたときに、撮像情報処理部において所定フレームレートにより撮像情報を生成し、撮像情報を記憶部に記録させるフレームレート制御部と、を備えている。
【０００８】
請求項８に記載の発明は、撮像情報記憶方法において、自車両の周辺が撮像された撮像情報を所定フレームレートにおいて生成する工程と、撮像情報を記憶する工程と、自車両の周辺を走行する他車両の煽り運転を検知する工程と、煽り運転が検知されたときに、所定フレームレートに比し高い高フレームレートにおいて撮像情報を生成する工程と、を備えている。
【０００９】
請求項９に記載の発明は、撮像情報生成部、記憶部、運転状況検知部及びフレームレート制御部を備えた撮像情報記憶装置における撮像情報記憶方法をコンピュータに実行させるためのプログラムであって、撮像情報生成部が、自車両の周辺が撮像された撮像情報を所定フレームレートにおいて生成する工程と、記憶部が、撮像情報を記憶する工程と、運転状況検知部が、自車両の周辺を走行する他車両の煽り運転を検知する工程と、フレームレート制御部が、煽り運転が検知されたときに、所定フレームレートに比し高い高フレームレートにおいて撮像情報を生成する工程と、を備えている。
【図面の簡単な説明】
【００１０】
【図１】図１は本発明の第１実施例に係る撮像情報記憶装置のブロック構成図である。
【図２】図２は、図１に示される撮像情報記憶装置の撮像情報記憶方法並びにその方法を実行するプログラムにおいて、車間距離を測定する方法を説明する道路を側面方向から見た概略図である。
【図３】図３は車両の速度に対する安全な車間距離の目安を説明する図である。
【図４】図４は車両の速度に対する安全な制動時間の目安を説明する図である。
【図５】図５は図１に示される撮像情報記憶装置の撮像情報記憶方法並びにその方法を実行するプログラムのフローチャートである。
【図６】図６は本発明の第２実施例に係る撮像情報記憶装置のブロック構成図である。
【発明を実施するための形態】
【００１１】
本発明の第１実施態様に係る撮像情報記憶装置は、自車両の周辺が撮像された撮像情報を所定フレームレートにおいて生成する撮像情報生成部と、撮像情報生成部により生成された撮像情報を記憶する記憶部と、自車両の周辺を走行する他車両の煽り運転を検知する運転状況検知部と、運転状況検知部により煽り運転が検知されたときに、所定フレームレートに比し高い高フレームレートにおいて撮像情報を生成するフレームレート制御部と、を備えている。
【００１２】
第１実施態様に係る撮像情報記憶装置は、撮像情報生成部と、記憶部と、を備える。
撮像情報生成部は、自車両の周辺が撮像された撮像情報を所定フレームレートにおいて生成する。記憶部は、撮像情報生成部により生成された撮像情報を記憶する。
ここで、撮像情報記憶装置は、運転状況検知部と、フレームレート制御部とを更に備える。運転状況検知部は、自車両の周辺を走行する他車両の煽り運転を検知する。そして、フレームレート制御部は、運転状況検知部により煽り運転が検知されたときに、所定フレームレートに比し高い高フレームレートにおいて撮像情報を生成する。
このため、煽り運転が検知されないときには、所定フレームレートにおいて撮像情報が生成され、かつ、この撮像情報が記憶されるので、撮像情報の記憶容量を適正に抑制することができる。一方、煽り運転が検知されたときには、所定フレームレートに比し高い高フレームレートにおいて撮像情報が生成され、かつ、この撮像情報が記憶されるので、煽り運転の状況における撮像情報を増やすことができる。従って、撮像情報の記憶容量を適正に抑制しつつ、煽り運転を受けたときには撮像情報量を増やすことができる撮像情報記憶装置を提供することができる。
【００１３】
本発明の第２実施態様に係る撮像情報記憶装置では、第１実施態様に係る撮像情報記憶装置において、撮像情報生成部は、それぞれ撮像された複数種類の撮像情報を所定フレームレートにおいて生成し、記憶部は、撮像情報生成部により生成された複数種類の撮像情報を記憶し、フレームレート制御部は、煽り運転が検知されたときに高フレームレートにおいて複数種類の撮像情報を生成する。
【００１４】
第２実施態様に係る撮像情報記憶装置では、撮像情報生成部は、それぞれ撮像された複数種類の撮像情報を所定フレームレートにおいて生成する。記憶部は、撮像情報生成部により生成された複数種類の撮像情報を記憶する。そして、フレームレート制御部は、煽り運転が検知されたときに高フレームレートにおいて複数種類の撮像情報を生成する。
このため、複数種類の撮像情報は、煽り運転が検知されたときには同一の高フレームレートにより生成され、煽り運転が検知されないときには同一の所定フレームレートにより生成される。従って、複数種類の撮像情報を同時に再生するときに、再生ずれが生じないので、撮像情報を再生した映像を見るユーザの違和感を軽減することができる。
【００１５】
本発明の第３実施態様に係る撮像情報記憶装置では、第１実施態様又は第２実施態様に係る撮像情報記憶装置において、運転状況検知部は、自車両の速度に応じた自車両と他車両との車間距離が許容範囲を超え、この状況が許容時間を超えたときに、他車両の煽り運転を検知する。
【００１６】
第３実施態様に係る撮像情報記憶装置によれば、運転状況検知部では、自車両の速度、自車両と他車両との車間距離の許容範囲及び許容時間に基づいて、他車両の煽り運転が検知される。このため、自車両の速度に応じた煽り運転の判断基準を一律に定めることができる。
【００１７】
本発明の第４実施態様に係る撮像情報記憶装置では、第３実施態様に係る撮像情報記憶装置において、運転状況検知部は、自車両の速度計測部から速度を取得し、かつ、自車両の車間距離計測部から車間距離を取得して煽り運転を検知する。
【００１８】
第４実施態様に係る撮像情報記憶装置によれば、自車両の速度計測部から取得された速度と、自車両の車間距離計測部から取得された車間距離とに基づいて、運転状況検知部では煽り運転が検知される。このため、自車両に装着される速度計測部及び車間距離計測部から取得される情報を利用して、運転状況検知部では煽り運転を検知することができるので、撮像情報記憶装置の構成を簡素化することができ、又撮像情報記憶装置を小型化することができる。
【００１９】
本発明の第５実施態様に係る撮像情報記憶装置では、第１実施態様又は第２実施態様に係る撮像情報記憶装置において、撮像情報に基づく画像解析により自車両と他車両との車間距離を解析する撮像情報解析部を更に備え、運転状況検知部は、撮像情報解析部の解析結果に基づいて、自車両の速度に応じた自車両と他車両との車間距離が許容範囲を超え、かつ、この状況が許容時間を超えたときに、他車両の煽り運転を検知する。
【００２０】
第５実施態様に係る撮像情報記憶装置は、撮像情報解析部を更に備える。撮像情報解析部では、撮像情報に基づく画像解析により自車両と他車両との車間距離を解析することができる。そして、運転状況検知部は、撮像情報解析部の解析結果に基づいて、自車両の速度に応じた自車両と他車両との車間距離が許容範囲を超え、かつ、この状況が許容時間を超えたときに他車両の煽り運転を検知する。
このため、運転状況検知部では、自車両の速度、自車両と他車両との車間距離の許容範囲及び許容時間に基づいて、他車両の煽り運転を検知することができるので、自車両の速度に応じた煽り運転の判断基準を一律に定めることができる。
さらに、撮像情報解析部では、撮像情報に基づいて車間距離を演算することができるので、外付け装置としての車間距離計測部の車間距離情報を補完することができる。また、車間距離計測部を装備していない自車両では、撮像情報解析部を用いて車間距離情報を取得することができるので、撮像情報記憶装置を用いて煽り運転を検知することができる。
【００２１】
本発明の第６実施態様に係る撮像情報記憶装置では、第２実施態様に係る撮像情報記憶装置において、撮像情報生成部は、自車両の前方の撮像情報及び自車両の後方の撮像情報を所定フレームレートにおいて生成し、フレームレート制御部は、運転状況検知部により、自車両の前方において煽り運転が検知されたときに、この検知された方向の撮像画像を高フレームレートにおいて生成し、又自車両の後方において煽り運転が検知されたときに、この検知された方向の撮像画像を高フレームレートにおいて生成する。
【００２２】
第６実施態様に係る撮像情報記憶装置によれば、撮像情報生成部では、自車両の前方の撮像情報及び自車両の後方の撮像情報が所定フレームレートにおいて生成される。フレームレート制御部では、運転状況検知部により、自車両の前方において煽り運転が検知されたときに、この検知された方向の撮像画像が高フレームレートにおいて生成される。また、フレームレート制御部では、運転状況検知部により、自車両の後方において煽り運転が検知されたときに、この検知された方向の撮像画像が高フレームレートにおいて生成される。
このため、煽り運転が検知されない方向では、所定フレームレートにおいて撮像情報が生成されるので、撮像情報の記憶容量を適正に抑制することができる。一方、煽り運転が検知された方向では、高フレームレートにおいて撮像情報が生成されるので、煽り運転の状況における撮像情報を増やすことができる。
【００２３】
本発明の第７実施態様に係る撮像情報記憶装置は、自車両の周辺が撮像された撮像情報を所定フレームレートにおいて生成する撮像情報生成部と、撮像情報生成部により生成された撮像情報を所定フレームレートに比し低い低フレームレートに変換する撮像情報処理部と、撮像情報処理部により変換された撮像情報を記憶する記憶部と、自車両の周辺を走行する他車両の煽り運転を検知する運転状況検知部と、運転状況検知部により煽り運転が検知されたときに、撮像情報処理部において所定フレームレートにより撮像情報を生成し、撮像情報を記憶部に記録させるフレームレート制御部と、を備えている。
【００２４】
第７実施態様に係る撮像情報記憶装置は、撮像情報生成部と、撮像情報処理部と、記憶部と、を備える。
撮像情報生成部は、自車両の周辺が撮像された撮像情報を所定フレームレートにおいて生成する。撮像情報処理部は、撮像情報生成部により生成された撮像情報を所定フレームレートに比し低い低フレームレートに変換する。記憶部は、撮像情報生成部により生成された撮像情報を記憶する。
ここで、撮像情報記憶装置は、運転状況検知部と、フレームレート制御部とを更に備える。運転状況検知部は、自車両の周辺を走行する他車両の煽り運転を検知する。そして、フレームレート制御部は、運転状況検知部により煽り運転が検知されたときに、撮像情報処理部において所定フレームレートにより撮像情報を生成し、撮像情報を記憶部に記録させる。
このため、煽り運転が検知されないときには、低フレームレートにおいて撮像情報が生成され、かつ、この撮像情報が記憶されるので、撮像情報の記憶容量を適正に抑制することができる。一方、煽り運転が検知されたときには、低フレームレートに比し高い所定フレームレートにおいて撮像情報が生成され、かつ、この撮像情報が記憶されるので、煽り運転の状況における撮像情報を増やすことができる。従って、撮像情報の記憶容量を適正に抑制しつつ、煽り運転を受けたときには撮像情報量を増やすことができる撮像情報記憶装置を提供することができる。
さらに、撮像情報生成部では、撮像情報処理部において撮像情報が低フレームレートに変換されるまで、低フレームレートに比し高い所定フレームレートにおいて撮像情報が生成される。このため、撮像情報記憶装置では、低フレームレートに変換される前の、撮像情報量が多い撮像情報を利用することができる。
【００２５】
本発明の第８実施態様に係る撮像情報記憶方法は、自車両の周辺が撮像された撮像情報を所定フレームレートにおいて生成する工程と、撮像情報を記憶する工程と、自車両の周辺を走行する他車両の煽り運転を検知する工程と、煽り運転が検知されたときに、所定フレームレートに比し高い高フレームレートにおいて撮像情報を生成する工程と、を備えている。
【００２６】
第８実施態様に係る撮像情報記憶方法では、所定フレームレートにおいて自車両の周辺が撮像された撮像情報が生成され、撮像情報が記憶される。一方、自車両の周辺を走行する他車両の煽り運転が検知される。煽り運転が検知されたときに、所定フレームレートに比し高い高フレームレートにおいて撮像情報が生成される。
このため、煽り運転が検知されないとき、所定フレームレートにおいて撮像情報が生成され、かつ、この撮像情報が記憶されるので、撮像情報の記憶容量を適正に抑制することができる。一方、煽り運転が検知されたとき、所定フレームレートに比し高い高フレームレートにおいて撮像情報が生成され、かつ、この撮像情報が記憶されるので、煽り運転の状況における撮像情報を増やすことができる。従って、撮像情報の記憶容量を適正に抑制しつつ、煽り運転を受けたときには撮像情報量を増やすことができる撮像情報記憶方法を提供することができる。
【００２７】
本発明の第９実施態様に係るプログラムは、撮像情報生成部、記憶部、運転状況検知部及びフレームレート制御部を備えた撮像情報記憶装置における撮像情報記憶方法をコンピュータに実行させるためのプログラムであって、撮像情報生成部が、自車両の周辺が撮像された撮像情報を所定フレームレートにおいて生成する工程と、記憶部が、撮像情報を記憶する工程と、運転状況検知部が、自車両の周辺を走行する他車両の煽り運転を検知する工程と、フレームレート制御部が、煽り運転が検知されたときに、所定フレームレートに比し高い高フレームレートにおいて撮像情報を生成する工程と、を備えている。
【００２８】
第９実施態様に係るプログラムでは、撮像情報生成部が自車両の周辺が撮像された撮像情報を所定フレームレートにおいて生成し、記憶部が撮像情報を記憶する。一方、運転状況検知部が自車両の周辺を走行する他車両の煽り運転を検知する。そして、フレームレート制御部が、煽り運転が検知されたときに、所定フレームレートに比し高い高フレームレートにおいて撮像情報を生成する。
このため、煽り運転が検知されないとき、所定フレームレートにおいて撮像情報が生成され、かつ、この撮像情報が記憶されるので、撮像情報の記憶容量を適正に抑制することができる。一方、煽り運転が検知されたとき、所定フレームレートに比し高い高フレームレートにおいて撮像情報が生成され、かつ、この撮像情報が記憶されるので、煽り運転の状況における撮像情報を増やすことができる。従って、撮像情報の記憶容量を適正に抑制しつつ、煽り運転を受けたときには撮像情報量を増やすことができるプログラムを提供することができる。
【実施例】
【００２９】
［第１実施例］
以下、図１〜図５を用いて、第１実施例に係る撮像情報記憶装置１、撮像情報記憶方法及びその方法をコンピュータに実行させるためのプログラムについて説明する。
なお、図中、適宜、示される矢印ＦＲは一例としての普通自動車を対象とする車両の前方方向を示し、矢印ＵＰは車両上方を示している。これらの方向は、実施例を説明するために便宜的に使用される方向であって、本発明における方向を限定するものではない。
【００３０】
（撮像情報記憶装置１及び撮像情報記憶システム１００の構成）
図１に示されるように、撮像情報記憶装置１は、ドライブレコーダ部３を主要部として備え、車両の停止中や走行中における車両室外及び車両室内を撮像した撮像情報を記憶する構成とされている。表現を代えると、撮像情報記憶装置１は、車両室外及び車両室内を撮影した映像を録画する構成とされている。
なお、車両として、ここでは普通自動車を一例として説明する。本実施例では、車両として、バス、トラック、二輪車、自転車が少なくとも含まれる。
撮像情報記憶装置１は、更にインターフェイス部２と、運転状況検知部４と、タイマ５と、コンピュータとしての中央演算処理ユニット（CPU）６と、第１記憶部７と、第２記憶部８とを備えている。これらの撮像情報記憶装置１を構築するインターフェイス部２等の各構成要素は、共通バス９を通して相互に電気的に接続されている。
さらに、撮像情報記憶装置１には外部装置としての撮像装置１０が組み込まれ、撮像情報記憶装置１及び撮像装置１０は撮像情報記憶システム１００を構築している。そして、撮像情報記憶装置１は速度計測部１５及び車間距離計測部１６に接続されている。撮像情報記憶装置１では、速度計測部１５からの速度情報及び車間距離計測部１６からの車間距離情報を取得することができる。
以下、撮像情報記憶システム１００の各構成要素について説明する。
【００３１】
（撮像装置１０の構成）
図１に示されるように、撮像装置１０は、２つの車室外用カメラ（アウターカメラ）１１及び車室外用カメラ１２と、車室内用カメラ（インナーカメラ）１３とを含んで構成されている。
車室外用カメラ１１はフロントカメラとして使用されている。車室外用カメラ１１は、例えば車両室内のフロントウインドウガラスに近接した位置に車両前方に向けて装着され、車両前方の撮像を行い、この撮像による室外撮像情報を生成する。また、車室外用カメラ１２はリアカメラ（バックカメラ）として使用されている。車室外用カメラ１２は、例えば車両室内のリアウインドウガラスに近接した位置、リアバンパに近接した位置等に車両後方に向けて装着され、車両後方の撮影を行い、この撮影による室外撮像情報を生成する。
一方、車室内用カメラ１３は、例えば車室外用カメラ１１と同様の位置に車両後方に向けて装着され、車室内の撮像を行い、この撮像による室内撮像情報を生成する。なお、実施例では、室外撮像情報と室内撮像情報とを総称して、単に「撮像情報」として説明する場合がある。
車室外用カメラ１１、車室外用カメラ１２、車室内用カメラ１３は、いずれも、例えば二次元イメージセンサを主要な撮像デバイスとして構成されている。二次元イメージセンサには例えばCCD（Charge Coupled Device）イメージセンサが実用的に使用されている。さらに、二次元イメージセンサとしては、CMOS（Complementary Metal Oxide Semiconductor）イメージセンサを使用することができる。
本実施例では、車両に車室外用カメラ１１、車室外用カメラ１２及び車室内用カメラ１３の３つのカメラが装着されているが、車室外用カメラ１１及び車室外用カメラ１２だけが車両に装着されていてもよい。また、本実施例では、車室外用カメラ１１、車室外用カメラ１２及び車室内用カメラ１３に加えて、車両側方後側を撮像する車室外用カメラとしてのサイドバックカメラが設けられてもよい。
【００３２】
（速度計測部１５及び車間距離計測部１６の構成）
速度計測部１５、車間距離計測部１６のそれぞれは、図２に概略的に示されるように、自車両Ｖｍに装着されている。
速度計測部１５は、例えば自車両Ｖｍの車軸回転数を検知し、車軸回転数から自車両Ｖｍの速度を表す数値に変換する。一般的には、速度計測部１５は自車両Ｖｍに標準装備され、速度計測部１５による計測結果は自車両Ｖｍの図示省略の速度計（スピードメータ）に表示される。また、図示省略の加速度センサの値に基づいて速度が算出されてもよい。
図１に示されるように、速度計測部１５は撮像情報記憶装置１のインターフェイス部２に接続され、速度計測部１５により計測された速度情報はインターフェイス部２を通して撮像情報記憶装置１へ伝送される。
【００３３】
一方、図２に示されるように、車間距離計測部１６は自車両Ｖｍの前部に配置されている。車間距離計測部１６では、自車両Ｖｍの前方を走行する他車両Ｖｏへ向けて計測信号Ｌｍが送信され、他車両Ｖｏにおいて反射された計測信号Ｌｍが受信される。この計測信号Ｌｍの送信から受信までに要する時間に基づいて、自車両Ｖｍから他車両Ｖｏまでの距離Ｌ１が計測される。距離Ｌ１は自車両Ｖｍと他車両Ｖｏとの車間距離である。計測信号Ｌｍとして、レーザ光、赤外光、マイクロ波（ミリ波が含まれる）、超音波等を使用することができる。車間距離計測部１６は、衝突検知等の安全装置として、標準装備される傾向にある。
図１に示されるように、車間距離計測部１６は撮像情報記憶装置１のインターフェイス部２に接続され、速度情報と同様に、車間距離計測部１６により計測された車間距離情報はインターフェイス部２を通して撮像情報記憶装置１へ伝送される。
なお、図２では、自車両Ｖｍの前部に車間距離計測部１６が装備されているが、自車両Ｖｍの後部にも同様に車間距離計測部が装備されている。この車間距離計測部１６では、自車両Ｖｍと自車両Ｖｍの後方を走行する図示省略の他車両との車間距離が計測される。
【００３４】
（撮像情報記憶装置１の構成）
（１）インターフェイス部２の構成
図１に戻って、インターフェイス部２は、車室外用カメラ１１、車室外用カメラ１２及び車室内用カメラ１３を含む撮像装置１０と、速度計測部１５と、車間距離計測部１６とのそれぞれに接続され、更に撮像情報記憶装置１の共通バス９に接続されている。インターフェイス部２では、撮像装置１０において生成された撮像情報、速度計測部１５により計測された速度情報、車間距離計測部１６により計測された車間距離情報のそれぞれを撮像情報記憶装置１に取り込むことができる。
【００３５】
（２）ドライブレコーダ部３の構成
ドライブレコーダ部３は、撮像情報生成部３１と、記録部３２とを備えている。ドライブレコーダ部３は更にフレームレート制御部３３を備えているが、このフレームレート制御部３３の説明は後に詳しく説明する。
撮像情報生成部３１では、車室外用カメラ１１、車室外用カメラ１２、車室内用カメラ１３のそれぞれからインターフェイス部２及び共通バス９を通して伝送される撮像情報に基づいて、所定フレームレートにおいて撮像情報が生成される。ここで、所定フレームレートは例えば1 FPS（Frames Per Second）に設定され、撮像情報の記憶容量が適正に抑制されている。
記録部３２は、撮像情報生成部３１において生成された撮像情報を、順次、共通バス９を通して第２記憶部８へ伝送する。第２記憶部８では、記録部３２から伝送された撮像情報が撮像情報記憶部８１に記憶される。
【００３６】
（３）運転状況検知部４の構成
運転状況検知部４は、撮像情報解析部４１と、煽り運転判定部４２とを含んで構成され、図２に示される自車両Ｖｍの周辺を走行する他車両Ｖｏの「煽り運転」を検知する構成とされている。
撮像情報解析部４１は、車室外用カメラ１１、車室外用カメラ１２のそれぞれからインターフェイス部２及び共通バス９を通して伝送される車両前方側の撮像情報、車両後方側の撮像情報に基づいて、「煽り運転」を受けているか否かを画像解析により解析する。
また、図２に示されるように、撮像情報解析部４１では、車両前方側の撮像情報に基づいて、画像解析により、車間距離となる距離Ｌ１を演算することができる。少し詳しく説明すると、車室外用カメラ１１により撮像された撮像情報には、自車両Ｖｍの前方に走行する他車両Ｖｏの車両後方下部の位置ＢＰが撮像される。この位置ＢＰと、自車両Ｖｍの車室外用カメラ１１の取付位置Ｐ１の高さ寸法ｈとに基づいて、位置ＢＰと取付位置Ｐ１とを結ぶ線（破線）の水平面に対する角度αが演算される。高さ寸法ｈと角度αとに基づいて、三角関数を利用して、他車両Ｖｏの位置ＢＰから自車両Ｖｍの取付位置Ｐ１を水平面に投影した取付位置Ｐ２までの距離Ｌ２を演算することができる。自車両Ｖｍの前端と取付位置Ｐ２との距離をこの距離Ｌ２から差し引くことにより、距離Ｌ１を求めることができる。
同様に、撮像情報解析部４１では、車両後方側の撮像情報に基づいて、画像解析により、自車両Ｖｍと後方を走行する図示省略の他車両との車間距離を求めることができる。
【００３７】
煽り運転判定部４２では、速度計測部１５から取得した速度情報と、車間距離計測部１６から取得した車間距離情報又は撮像情報解析部４１から取得した車間距離情報とに基づいて、「煽り運転」を受けているか否かが判定される。
ここで、煽り運転判定部４２の「煽り運転」を受けているか否かの判定方法について、簡単に説明する。
図３には、自車両Ｖｍ（又は他車両Ｖｏ）の走行速度［km/hour］と、安全な目安とされる車間距離［m］との一般的な関係が示されている。例えば、自車両Ｖｍが時速40 kmにおいて走行しているときには、車間距離が22 mあれば、安全とされている。また、自車両Ｖｍが時速60 kmにおいて走行しているときには、車間距離が44 mあれば、安全とされている。
従って、煽り運転判定部４２では、図３に示される、自車両Ｖｍの走行速度に応じた自車両Ｖｍと他車両Ｖｏとの車間距離が「許容範囲」の最大値とされ、この「許容範囲」を基準（閾値）として「煽り運転」を受けたか否かの判定が実行される。例えば、自車両Ｖｍが時速50 kmにおいて走行しているとき、車間距離の「許容範囲」は「32 m」である。煽り運転判定部４２は、車間距離が「32 m」以上の長い車間距離、例えば「40 m」であれば「煽り運転」を受けていないと判定する。一方、煽り運転判定部４２は、車間距離が「32 m」を超えて短い車間距離、例えば「15 m」であれば、「煽り運転」を受けていると判定する。
【００３８】
また、図４には、自車両Ｖｍの走行速度［km/hour］と、制動時間［sec］との一般的な関係が示されている。例えば、自車両Ｖｍが時速30 km〜50 kmにおいて走行しているときには、安全な制動時間として2 秒が必要とされる。また、自車両Ｖｍが時速80 km〜110 kmにおいて走行しているときには、制動時間として4 秒が必要とされる。
従って、煽り運転判定部４２では、図４に示される、自車両Ｖｍの走行速度に応じた自車両Ｖｍの制動時間が「許容時間」の最大値とされ、この「許容時間」を基準（閾値）として「煽り運転」を受けたか否かの判定が実行される。
例えば、自車両Ｖｍが時速60 kmにおいて走行しているとき、制動時間は「3 秒」であるので、「許容時間」は「3 秒」とされる。煽り運転判定部４２は、車間距離の「許容範囲」を超えている状況（時間）が「3 秒」以内であれば「煽り運転」を受けていないと判定する。一方、煽り運転判定部４２は、車間距離の「許容範囲」を超えている状況が「3 秒」を超えて長くなれば、例えば「20 秒」も継続されるようであれば、「煽り運転」を受けていると判定する。
【００３９】
図１に示されるように、煽り運転判定部４２は、「煽り運転」を受けていると判定したとき、共通バス９を通してフレームレート制御部３３へフレームレート制御信号FCSを出力する。フレームレート制御部３３では、フレームレート制御信号FCSに基づいて、撮像情報を生成するフレームレートが制御される。
【００４０】
（４）タイマ５、中央演算処理ユニット６、第１記憶部７及び第２記憶部８の構成
図１に示されるように、タイマ５は共通バス９に接続されている。ここでは、タイマ５は、運転状況検知部４の煽り運転判定部４２における「許容時間」のカウントに使用されている。
中央演算処理ユニット（コンピュータ）６は、共通バス９に接続され、共通バス９を介して撮像情報記憶装置１のドライブレコーダ部３、運転状況検知部４、タイマ５等の各構成要素の動作を制御する。
【００４１】
第１記憶部７は、例えば読出し専用記憶回路（例えば、ROM: Read Only Memory）及び書込み読出し記憶回路（例えば、RAM: Random Access Memory）を含んで構成されている。第１記憶部７は共通バス９に接続されている。第１記憶部７には、撮像情報記憶装置１の動作制御に必要なプログラムが格納され、又中央演算処理ユニット６において実行中の情報が一時的に格納される。
第２記憶部８は、撮像情報記憶部８１と、地図情報記憶部８２とを含んで構成され、共通バス９に接続されている。撮像情報記憶部８１は、ドライブレコーダ部３の記録部３２から出力される撮像情報を格納し、保存する。地図情報記憶部８２には、地図情報が格納されている。第２記憶部８には、例えば不揮発性記憶装置、ハードディスク等、大記憶容量を有する記憶装置が使用されている。
ここで、地図情報は、フレームレート制御部３３の動作に同期して、地図情報記憶部８２から撮像情報生成部３１へ読出される。撮像情報生成部３１では、地図情報の少なくとも一部の情報、例えば緯度情報及び経度情報が撮像情報に書込まれる。これにより、「煽り運転」を受けた位置を特定することができる。
なお、地図情報は、図示省略の通信機器を介してインターネット経由により外部サーバから取得してもよい。
【００４２】
（５）フレームレート制御部３３の構成
図１に示されるように、撮像情報記憶装置１はドライブレコーダ部３の一部の構成要素としてフレームレート制御部３３を備えている。フレームレート制御部３３は共通バス９に接続されている。
フレームレート制御部３３は、運転状況検知部４の煽り運転判定部４２から出力されるフレームレート制御信号FCSに基づいて、動作を開始する。フレームレート制御部３３は、煽り運転判定部４２において自車両Ｖｍが「煽り運転」を受けていると判定されると、撮像情報生成部３１を制御して所定フレームレートに比し高い高フレームレートにおいて撮像情報を生成させる。高フレームレートは例えば15.5 FPSに設定されている。このフレームレートに設定された撮像情報はLED（Light Emitting Diode）方式を採用する信号機の滅灯タイミングに同期しないので、仮に道路交差点に信号機があるときに信号機の点灯状態にある撮像情報を生成することができる。
【００４３】
フレームレート制御部３３は、車室外用カメラ１１、車室外用カメラ１２の各々を用いて撮像された室外撮像情報を高フレームレートにおいて生成するが、本実施例では車室内用カメラ１３を用いて撮像された室内撮像情報も高フレームレートにおいて生成される。高フレームレートにおいて生成された室内撮像情報は室外撮像情報と同期されている。
さらに、煽り運転判定部４２により自車両Ｖｍの前方において「煽り運転」を受けていると判定すると、フレームレート制御部３３は、この「煽り運転」を受けている方向の車室外用カメラ１１により撮像された撮像画像を高フレームレートにおいて生成する。逆に、煽り運転判定部４２により自車両Ｖｍの後方において「煽り運転」を受けていると判定すると、フレームレート制御部３３は、この「煽り運転」を受けている方向の車室外用カメラ１２により撮像された撮像画像を高フレームレートにおいて生成する。
【００４４】
（撮像情報記憶方法及びプログラム）
図１〜図４を参照しつつ、図５を用いて、撮像情報記憶装置１を用いた撮像情報記憶方法を説明すると共に、併せて撮像情報記憶方法を実行するためのプログラムについて説明する。
【００４５】
まず、自車両Ｖｍの図示省略のパワーユニットが起動される（ステップＳ１）。パワーユニットが起動されると、自車両Ｖｍでは、速度計測部１５による自車両Ｖｍの走行速度の測定が開始され、速度情報が生成される。また、自車両Ｖｍでは、車間距離計測部１６による自車両Ｖｍの周囲を走行する他車両Ｖｏとの車間距離が測定され、車間距離情報が生成される。
引き続き、撮像情報記憶システム１００が起動される（ステップＳ２）。撮像情報記憶システム１００が起動されると、撮像装置１０の車室外用カメラ１１、車室外用カメラ１２、車室内用カメラ１３のそれぞれが起動される。車室外用カメラ１１では自車両Ｖｍの車両前方側が撮像され、車室外用カメラ１２では自車両Ｖｍの車両後方側が撮像される。これらの撮像情報（室外撮像情報）は撮像情報記憶装置１においてインターフェイス部２、共通バス９のそれぞれを通してドライブレコーダ部３へ伝送される。車室内用カメラ１３では自車両Ｖｍの車室内が撮像され、この撮像情報（室内撮像情報）は同様にドライブレコーダ部３へ伝送される。
ドライブレコーダ部３の撮像情報生成部３１では、伝送された撮像情報が所定フレームレートにおいて生成される。この所定フレームレートにおいて生成された撮像情報は記録部３２を経て第２記憶部８へ伝送され、撮像情報は第２記憶部８の撮像情報記憶部８１に格納され、保存される（ステップＳ３）。
【００４６】
撮像情報記憶装置１では、運転状況検知部４において、自車両Ｖｍの周辺を走行する他車両Ｖｏ（図２参照）の煽り運転の検知が開始される（ステップＳ４）。運転状況検知部４では、まず速度計測部１５からインターフェイス部２、共通バス９のそれぞれを通して自車両Ｖｍの速度情報が取得され（ステップＳ５）、同様に車間距離計測部１６から車間距離情報が取得される（ステップＳ６）。車間距離情報は、図２に示されるように、自車両Ｖｍとその前方に走行する他車両Ｖｏとの距離Ｌ１である。また、車間距離情報には、自車両Ｖｍとその後方を走行する図示省略の他車両との距離が含まれる。
【００４７】
運転状況検知部４の煽り運転判定部４２では、自車両Ｖｍが他車両Ｖｏから「煽り運転」を受けているか否かが判定される（ステップＳ８）。
詳しく説明すると、煽り運転判定部４２では、まず最初に、速度計測部１５からの速度情報と車間距離計測部１６からの車間距離情報が取得される。取得された速度情報と車間距離情報とに基づいて、煽り運転判定部４２では、自車両Ｖｍの走行速度に応じた自車両Ｖｍと他車両Ｖｏの車間距離が許容範囲内か許容範囲を超えているかが最初に判定される。
本実施例では、図３に示されるように、距離Ｌ１が車間距離であり、この車間距離が「許容範囲」に設定されているので、仮に自車両Ｖｍが時速60 kmにおいて走行しているとき、「許容範囲」は「44 m」とされる。「44 m」以上の長い車間距離が維持されていれば、「許容範囲内」であり、煽り運転判定部４２は「煽り運転」を受けていないと判定する。逆に、「44 m」を超えて短い車間距離が維持されていれば、「許容範囲を超える」ことになり、煽り運転判定部４２は「煽り運転」を受けていると判定する。
【００４８】
さらに、煽り運転判定部４２では、「煽り運転」を受けているか否かの判定に、「許容時間」が加えられている。本実施例では、自車両Ｖｍの走行速度に応じた自車両Ｖｍの制動時間が「許容時間」に設定されている。
図４に示されるように、上述の例では、自車両Ｖｍの走行速度は時速50 km〜80 kmの区分になるので、安全の目安としての制動時間は「3 秒」であり、この「3 秒」が「許容時間」とされる。煽り運転判定部４２では、「煽り運転」を受けている状況が、「3 秒」以内の「許容時間内」のとき、最終的に「煽り運転」を受けていないと判定する。逆に、煽り運転判定部４２では、「煽り運転」を受けている状況が、「3 秒」を超えて「許容時間を超える」とき、最終的に「煽り運転」を受けていると判定する。
【００４９】
ここで、図３、図４のそれぞれに示される判定情報は、煽り運転判定部４２に内蔵された記憶部に、又は第１記憶部７にテーブルとして格納されている。また、煽り運転判定部４２における「煽り運転」を受けている時間の測定にはタイマ５が利用される。
【００５０】
一方、運転状況検知部４は撮像情報解析部４１を備えているので、撮像情報解析部４１では、図２に示されるように、撮像情報に基づく画像解析により、自車両Ｖｍと他車両Ｖｏとの車間距離が演算される（ステップＳ７）。この演算された車間距離の車間距離情報は、煽り運転判定部４２において、「煽り運転」を受けているか否かの判定に使用されている。ここでは、車間距離情報は、車間距離計測部１６から取得される車間距離情報の補完情報として、或いは「煽り運転」を受けているか否かを判定する単独情報として使用されている。
【００５１】
煽り運転判定部４２は、「煽り運転」を受けていると判定すると、フレームレート制御部３３へフレームレート制御信号FCSを出力する。フレームレート制御部３３はフレームレート制御信号FCSに基づいて撮像情報生成部３１のフレームレートを変化させ、撮像情報生成部３１では高フレームレートにおいて撮像情報が生成される（ステップＳ９）。
このとき、撮像情報生成部３１では、地図情報記憶部８２に格納された地図情報から現在位置情報を取得し、この現在位置情報が撮像情報に合成される（ステップＳ１０）。これにより、「煽り運転」を受けた地図上の現在位置を撮像情報に加えることができる。なお、自車両Ｖｍの現在位置情報は、撮像情報記憶装置１に内蔵された図示省略の全地球測位システム（GPS: Global Positioning System）を用いる衛星航法に基づいて、又は自律航法に基づいて、取得される。
高フレームレートにおいて生成された撮像情報は、第２記憶部８の撮像情報記憶部８１に格納され、保存される（ステップＳ１１）。
なお、ステップＳ８において「煽り運転」を受けていないと判定されたときは、ステップＳ１２へ移行する。
【００５２】
次に、撮像情報記憶システム１００の動作を終了させるか否かが判定される（ステップＳ１２）。動作を終了させないと判定されたとき、ステップＳ４に戻る。動作を終了させると判定されたとき、撮像情報記憶システム１００の動作は終了し、本実施例に係る撮像情報記憶方法並びにその方法を実行するためのプログラムは終了する。
【００５３】
（作用効果）
本実施例に係る撮像情報記憶装置１は、図１に示されるように、撮像情報生成部３１と、第２記憶部８と、を備える。
撮像情報生成部３１は、自車両Ｖｍ（図２参照）の周辺が撮像された撮像情報を所定フレームレートにおいて生成する。第２記憶部８は、撮像情報生成部３１により生成された撮像情報を記憶する。
ここで、撮像情報記憶装置１は、運転状況検知部４と、フレームレート制御部３３とを更に備える。運転状況検知部４は、自車両Ｖｍの周辺を走行する他車両Ｖｏの「煽り運転」を検知する。そして、フレームレート制御部３３は、運転状況検知部４により「煽り運転」が検知されたときに、所定フレームレートに比し高い高フレームレートにおいて撮像情報を生成する。
このため、「煽り運転」が検知されないときには、所定フレームレートにおいて撮像情報が生成され、かつ、この撮像情報が記憶されるので、撮像情報の記憶容量を適正に抑制することができる。一方、「煽り運転」が検知されたときには、所定フレームレートに比し高い高フレームレートにおいて撮像情報が生成され、かつ、この撮像情報が記憶されるので、「煽り運転」の状況における撮像情報を増やすことができる。従って、撮像情報の記憶容量を適正に抑制しつつ、「煽り運転」を受けたときには撮像情報量を増やすことができる撮像情報記憶装置１を提供することができる。
【００５４】
また、撮像情報記憶装置１では、図１に示されるように、撮像情報生成部３１は、それぞれ撮像された複数種類の撮像情報を所定フレームレートにおいて生成する。第２記憶部８は、撮像情報生成部３１により生成された複数種類の撮像情報を記憶する。そして、フレームレート制御部３３は、「煽り運転」が検知されたときに高フレームレートにおいて複数種類の撮像情報を生成する。
このため、複数種類の撮像情報は、「煽り運転」が検知されたときには同一の高フレームレートにより生成され、「煽り運転」が検知されないときには同一の所定フレームレートにより生成される。従って、複数種類の撮像情報を同時に再生するときに、再生ずれが生じないので、撮像情報を再生した映像を見るユーザの違和感を軽減することができる。
【００５５】
さらに、撮像情報記憶装置１によれば、図１〜図４に示されるように、運転状況検知部４では、自車両Ｖｍの走行速度、自車両Ｖｍと他車両Ｖｏとの車間距離（距離Ｌ１）の許容範囲及び許容時間に基づいて、他車両Ｖｏの「煽り運転」が検知される。このため、自車両Ｖｍの速度に応じた「煽り運転」の判断基準を一律に定めることができる。
【００５６】
また、撮像情報記憶装置１では、図１に示されるように、自車両Ｖｍの速度計測部１５から取得された速度（速度情報）と、自車両Ｖｍの車間距離計測部１６から取得された車間距離（車間距離情報）とに基づいて、運転状況検知部４では「煽り運転」が検知される。このため、自車両Ｖｍに装着される速度計測部１５及び車間距離計測部１６から取得される速度情報及び車間距離情報を利用して、運転状況検知部４では「煽り運転」を検知することができるので、撮像情報記憶装置１の構成を簡素化することができる。加えて、速度計測部１５及び車間距離計測部１６は撮像情報記憶装置１に備える必要が無いので、撮像情報記憶装置１を小型化することができる。
【００５７】
さらに、撮像情報記憶装置１では、図１に示されるように、撮像情報解析部４１を更に備える。撮像情報解析部４１では、図２に示されるように、撮像情報に基づく画像解析により自車両Ｖｍと他車両Ｖｏとの車間距離（距離Ｌ１）を解析することができる。そして、運転状況検知部４は、撮像情報解析部４１の解析結果に基づいて、自車両Ｖｍの走行速度に応じた自車両Ｖｍと他車両Ｖｏとの車間距離が許容範囲を超え、かつ、この状況が許容時間を超えたときに他車両Ｖｏの「煽り運転」を検知する。
このため、運転状況検知部４では、自車両Ｖｍの走行速度、自車両Ｖｍと他車両Ｖｏとの車間距離の許容範囲及び許容時間に基づいて、他車両Ｖｏの「煽り運転」を検知することができるので、自車両Ｖｍの走行速度に応じた「煽り運転」の判断基準を一律に定めることができる。
さらに、撮像情報解析部４１では、撮像情報に基づいて車間距離を演算することができるので、外付け装置としての車間距離計測部１６の車間距離情報を補完することができる。また、車間距離計測部１６を装備していない自車両Ｖｍでは、撮像情報解析部４１を用いて車間距離情報を取得することができるので、撮像情報記憶装置１を用いて「煽り運転」を検知することができる。
【００５８】
また、撮像情報記憶装置１では、図１に示されるように、撮像情報生成部３１では、自車両Ｖｍの前方の撮像情報及び自車両Ｖｍの後方の撮像情報が所定フレームレートにおいて生成される。フレームレート制御部３３では、運転状況検知部４により、自車両Ｖｍの前方において煽り運転が検知されたときに、この検知された方向の撮像画像が高フレームレートにおいて生成される。また、フレームレート制御部３３では、運転状況検知部４により、自車両Ｖｍの後方において煽り運転が検知されたときに、この検知された方向の撮像画像が高フレームレートにおいて生成される。
このため、煽り運転が検知されない方向では、所定フレームレートにおいて撮像情報が生成されるので、撮像情報の記憶容量を適正に抑制することができる。一方、煽り運転が検知された方向では、高フレームレートにおいて撮像情報が生成されるので、煽り運転の状況における撮像情報を増やすことができる。
【００５９】
さらに、撮像情報記憶方法では、図１〜図５に示されるように、所定フレームレートにおいて自車両Ｖｍの周辺が撮像された撮像情報が生成され、撮像情報が記憶される（ステップＳ３）。一方、自車両Ｖｍの周辺を走行する他車両Ｖｏの「煽り運転」が検知される（ステップＳ４）。「煽り運転」が検知されたときに（ステップＳ８）、所定フレームレートに比し高い高フレームレートにおいて撮像情報が生成される（ステップＳ９）。
このため、「煽り運転」が検知されないとき、所定フレームレートにおいて撮像情報が生成され、かつ、この撮像情報が記憶されるので、撮像情報の記憶容量を適正に抑制することができる。一方、「煽り運転」が検知されたとき、所定フレームレートに比し高い高フレームレートにおいて撮像情報が生成され、かつ、この撮像情報が記憶されるので、「煽り運転」の状況における撮像情報を増やすことができる。従って、撮像情報の記憶容量を適正に抑制しつつ、「煽り運転」を受けたときには撮像情報量を増やすことができる撮像情報記憶方法を提供することができる。
【００６０】
また、撮像情報記憶方法をコンピュータに実行させるためのプログラムでは、図１〜図５に示されるように、撮像情報生成部３１が自車両Ｖｍの周辺が撮像された撮像情報を所定フレームレートにおいて生成し、第２記憶部８が撮像情報を記憶する。一方、運転状況検知部４が自車両Ｖｍの周辺を走行する他車両Ｖｏの「煽り運転」を検知する。そして、フレームレート制御部３３が、「煽り運転」が検知されたときに、所定フレームレートに比し高い高フレームレートにおいて撮像情報を生成する。
このため、「煽り運転」が検知されないとき、所定フレームレートにおいて撮像情報が生成され、かつ、この撮像情報が記憶されるので、撮像情報の記憶容量を適正に抑制することができる。一方、「煽り運転」が検知されたとき、所定フレームレートに比し高い高フレームレートにおいて撮像情報が生成され、かつ、この撮像情報が記憶されるので、「煽り運転」の状況における撮像情報を増やすことができる。従って、撮像情報の記憶容量を適正に抑制しつつ、「煽り運転」を受けたときには撮像情報量を増やすことができるプログラムを提供することができる。
【００６１】
［第２実施例］
図６を用いて、第２実施例に係る撮像情報記憶装置１、撮像情報記憶方法及びその方法をコンピュータに実行させるためのプログラムについて説明する。
なお、本実施例において、第１実施例に係る撮像情報記憶装置１の構成要素と同一の構成要素又は実質的に同一の構成要素には同一符号を付し、重複する説明は省略する。撮像情報記憶方法又はプログラムのステップついても、同様である。
【００６２】
（撮像情報記憶装置１及び撮像情報記憶システム１００の構成）
本実施例に係る撮像情報記憶装置１は、図６に示されるように、ドライブレコーダ部３に、撮像情報処理部３４を備えている。ここで、ドライブレコーダ部３の撮像情報生成部３１では、所定フレームレートにおいて撮像情報が生成されるが、所定フレームレートは例えば15.5 FPSの高フレームレートに設定されている。撮像情報処理部３４では、撮像情報生成部３１において生成された撮像情報が、所定フレームレートに比し低い低フレームレートに変換される。低フレームレートは例えば1 FPSに設定されている。この変換された撮像情報は第２記憶部８の撮像情報記憶部８１に格納され、保存される。
【００６３】
フレームレート制御部３３では、煽り運転判定部４２からフレームレート制御信号FCSが出力されると、所定フレームレートを維持した状態において撮像情報が生成される。この撮像情報は、第２記憶部８に格納され、保存される。
【００６４】
（撮像情報記憶方法及びプログラム）
本実施例に係る撮像情報記憶方法並びにこの方法を実行するためのプログラムは、フレームレートの設定が逆になるだけで、前述の図５を用いて説明した第１実施例に係る撮像情報記憶方法並びにプログラムと実質的に同一であるので、説明を省略する。
【００６５】
（作用効果）
本実施例に係る撮像情報記憶装置１、撮像情報記憶方法並びにこの方法を実行するためのプログラムでは、第１実施例に係る撮像情報記憶装置１、撮像情報記憶方法並びにプログラムにより得られる作用効果と同様の作用効果を得ることができる。
【００６６】
また、撮像情報記憶装置１は、図６に示されるように、撮像情報生成部３１と、撮像情報処理部３４と、第２記憶部８と、を備える。
撮像情報生成部３１は、自車両Ｖｍの周辺が撮像された撮像情報を所定フレームレートにおいて生成する。撮像情報処理部３４は、撮像情報生成部３１により生成された撮像情報を所定フレームレートに比し低い低フレームレートに変換する。第２記憶部８は、撮像情報生成部３１により生成された撮像情報を記憶する。
ここで、撮像情報記憶装置１は、運転状況検知部４と、フレームレート制御部３３とを更に備える。
運転状況検知部４は、自車両Ｖｍの周辺を走行する他車両Ｖｏの「煽り運転」を検知する（図２参照）。そして、フレームレート制御部３３は、運転状況検知部４により「煽り運転」が検知されたときに、撮像情報処理部３４において所定フレームレートにより撮像情報を生成し、撮像情報を第２記憶部８に記録させる。
このため、「煽り運転」が検知されないときには、低フレームレートにおいて撮像情報が生成され、かつ、この撮像情報が記憶されるので、撮像情報の記憶容量を適正に抑制することができる。一方、「煽り運転」が検知されたときには、低フレームレートに比し高い所定フレームレートにおいて撮像情報が生成され、かつ、この撮像情報が記憶されるので、「煽り運転」の状況における撮像情報を増やすことができる。従って、撮像情報の記憶容量を適正に抑制しつつ、「煽り運転」を受けたときには撮像情報量を増やすことができる撮像情報記憶装置１を提供することができる。
さらに、撮像情報生成部３１では、撮像情報処理部３４において撮像情報が低フレームレートに変換されるまで、低フレームレートに比し高い所定フレームレートにおいて撮像情報が生成される。このため、撮像情報記憶装置１では、低フレームレートに変換される前の、撮像情報量が多い撮像情報を利用することができる。例えば、撮像情報生成部３１から撮像情報処理部３４へ至る伝送経路において、数秒から数十秒程度、シリアルに一時的に撮像情報を保存する回路が配設されれば、経時的に遡って高フレームレートの撮像情報を得ることができる。
【００６７】
［その他の実施例］
本発明は、上記実施例に限定されるものではなく、その要旨を逸脱しない範囲において、種々変形可能である。
例えば、上記実施例では、ドライブレコーダ部３、運転状況検知部４、タイマ５、第２記憶部８等の各構成要素を内蔵回路として撮像情報記憶装置１が構築されている。本発明では、少なくとも１つの構成要素が外付け装置として組み付けられ、撮像情報記憶装置１が構築されてもよい。
また、上記実施例では、自車両Ｖｍの車両前方側、車両後方側のいずれか一方からの「煽り運転」を検知して画像情報が記憶されているが、本発明は、自車両Ｖｍの車両前方側及び車両後方側の双方同時の「煽り運転」も検知して画像情報を記憶してもよい。
さらに、上記実施例では、自車両Ｖｍが「煽り運転」を受けている場合（被害者側）について説明がなされているが、本発明は、自車両Ｖｍが「煽り運転」を行っている場合（加害者側）にも適用可能である。
また、「煽り運転」は繰り返し行われる場合があるので、本発明は、「煽り運転」の判定がなされてから、所定の時間が経過するまで、高フレームレートによる画像情報を生成する構成としてもよい。ここでの「所定の時間」は、例えは数十秒〜数分とされる。
【符号の説明】
【００６８】
１     撮像情報記憶装置
１０   撮像装置
１１   車室外用カメラ
１２   車室外用カメラ
１３   車室内用カメラ
１５   速度計測部
１６   車間距離計測部
１００ 撮像情報記憶システム
２     インターフェイス部
３     ドライブレコーダ部
３１   撮像情報生成部
３２   記録部
３３   フレームレート制御部
３４   撮像情報処理部
４     運転状況検知部
４１   撮像情報解析部
４２   煽り運転判定部
５     タイマ
６     中央演算処理ユニット（コンピュータ）
７     第１記憶部
８     第２記憶部
８１   撮像情報記憶部
８２   地図情報記憶部
９     共通バス
Ｖｍ   自車両
Ｖｏ   他車両
【図１】
2020109572.tif 000003
【図２】
2020109572.tif 000004
【図３】
2020109572.tif 000005
【図４】
2020109572.tif 000006
【図５】
2020109572.tif 000007
【図６】
2020109572.tif 000008